(57)【要約】      （修正有）【課題】簡易な構造でピッチの変換が可能であり、確実に多心光ファイバ心線を保持することが可能な光ファイバ保持部材等を提供する。【解決手段】本体部３の幅方向の一方の側方には、本体部に対してヒンジによりそれぞれ独立して開閉可能な第１蓋部５ａ及び、第２蓋部５ｂ、５ｃが設けられる。本体部の光ファイバ設置面１３は、本体部の後端部側が、光ファイバの全体の位置決めを行う広幅溝部１７であり、広幅溝部の前方には、複数のＶ溝１１が併設されるＶ溝部１５が形成される。Ｖ溝部においては、本体部の後端部側から前端部側に向かって、Ｖ溝のピッチが大きくなる。第１蓋部は、広幅溝部に配置される。複数の第２蓋部は、Ｖ溝部において本体部の前後方向に併設して配置される。【選択図】図２
2020144327.tif 000002
【特許請求の範囲】
【請求項１】
光ファイバが配置される本体部と、
前記本体部に対して開閉可能な複数の蓋部と、
を具備し、
それぞれの前記蓋部の下面の少なくとも一部には、光ファイバの押さえ部が設けられ、
前記本体部の光ファイバ設置面には、前記本体部の後端部側に設けられ、光ファイバの全体の位置決めを行う広幅溝部と、前記広幅溝部の前端部側に形成され、複数のＶ溝が併設されるＶ溝部が形成され、
前記Ｖ溝部は、前記本体部の後端部側から前端部側に向かって、前記Ｖ溝のピッチが大きくなり、
前記蓋部は、前記広幅溝部に配置される第１蓋部と、前記Ｖ溝部において前記本体部の前後方向に併設される複数の第２蓋部とを有することを特徴とする光ファイバ保持部材。
【請求項２】
前記Ｖ溝部は、前記本体部の後端部側において略同一ピッチで前記Ｖ溝が配置される第１のストレート部と、前記第１のストレート部の前端部側において、前記Ｖ溝のピッチが徐々に大きくなるテーパ部を有し、
複数の前記第２蓋部の少なくとも１つは、前記第１のストレート部と前記テーパ部とにまたがるようにして配置されることを特徴とする請求項１記載の光ファイバ保持部材。
【請求項３】
前記Ｖ溝は、前記テーパ部の前端部側において略同一ピッチで前記Ｖ溝が配置される第２のストレート部を更に有し、
複数の前記第２蓋部の他の１つは、前記テーパ部と前記第２のストレート部とにまたがるようにして配置されることを特徴とする請求項２に記載の光ファイバ保持部材。
【請求項４】
複数の前記第２蓋部は、同一の回転軸に併設され、それぞれの前記第２蓋部の間にスペーサが配置されることを特徴とする請求項１から請求項３のいずれかに記載の光ファイバ保持部材。
【請求項５】
それぞれの前記蓋部は、前記本体部に配置された磁石によって、閉じた状態を維持可能であり、前記磁石は、それぞれの前記蓋部毎に別体で配置されることを特徴とする請求項１から請求項４のいずれかに記載の光ファイバ保持部材。
【請求項６】
前記本体部の前後方向に隣り合う前記磁石の極性が、互いに逆極性であることを特徴とする請求項５記載の光ファイバ保持部材。
【請求項７】
請求項１から請求項６のいずれかに記載の光ファイバ保持部材への光ファイバの配置方法であって、
複数の光ファイバを前記広幅溝部に配置して、前記第１蓋部を閉じ、光ファイバを前記本体部の前端部側に沿わした状態で、前記第２蓋部を、前記本体部の後端部側から順に閉じ、光ファイバを前記Ｖ溝部の全長にわたって配置することを特徴とする光ファイバ保持部材への光ファイバの配置方法。
【発明の詳細な説明】
【技術分野】
【０００１】
本発明は、複数本の光ファイバを、一括して保持することが可能な光ファイバ保持部材等に関する。
【背景技術】
【０００２】
多量のデータを高速で伝送するための光ファイバケーブルには、ケーブルへの収納や作業の簡易化のため、多心光ファイバ心線が用いられている。光ファイバ心線の接続等を行う際には、光ファイバを保持するための光ファイバ保持部材が使用されるが、多心光ファイバ心線の各光ファイバを一括して接続等を行うためには、複数本の光ファイバを一括して保持する必要がある。
【０００３】
このような光ファイバ保持部材としては、本体の長手方向に多心光ファイバ心線の全幅に対応する溝を形成し、溝に多心光ファイバ心線を配置した状態で蓋を閉じることで、蓋の内面に配置された凸部によって多心光ファイバ心線が押圧されて保持される光ファイバ保持部材がある（特許文献１）。
【先行技術文献】
【特許文献】
【０００４】
【特許文献１】特開２００７−５７６９８号公報
【発明の概要】
【発明が解決しようとする課題】
【０００５】
通常、多心光ファイバ心線は、各光ファイバ同士が互いに接触した状態で一体化される。すなわち、多心光ファイバ心線のピッチ（隣接する光ファイバの中心軸同士の間隔）は、おおむね、多心光ファイバ心線を構成する光ファイバの外径と略一致する。このため、多心光ファイバ心線の幅は、光ファイバの外径と本数とで決定される。
【０００６】
このような多心光ファイバ心線を保持する従来の光ファイバ保持部材は、多心光ファイバ心線全体の幅方向の位置を規制すれば、各光ファイバの位置を規制することができる。このため、従来の光ファイバ保持部材では、多心光ファイバ心線の全幅に応じた溝を形成することで、各光ファイバの位置を規制することができた。
【０００７】
一方、従来の多心光ファイバ心線は、２５０μｍ径の光ファイバで構成されることが一般的であった。すなわち、多くは２５０μｍピッチで光ファイバが整列されていた。しかし、近年、より光ファイバの高密度化のため、２００μｍピッチの多心光ファイバ心線が使用されている。
【０００８】
このような２００μｍピッチの多心光ファイバ心線同士を接続するためには、２００μｍピッチ用の光ファイバ保持部材が用いられる。すなわち、２００μｍピッチで整列された多心光ファイバ心線の幅に応じた溝が形成された光ファイバ保持部材が用いられる。
【０００９】
しかし、従来使用されてきた２５０μｍピッチの多心光ファイバ心線と２００μｍピッチの多心光ファイバ心線とを接続する場合がある。このため、２５０μｍピッチの多心光ファイバ心線と２００μｍピッチの多心光ファイバ心線などのように、異なるピッチの多心光ファイバ心線同士を接続可能な光ファイバ保持部材が望まれている。
【００１０】
本発明は、このような問題に鑑みてなされたもので、簡易な構造でピッチの変換が可能であり、確実に多心光ファイバ心線を保持することが可能な光ファイバ保持部材等を提供することを目的とする。
【課題を解決するための手段】
【００１１】
前述した目的を達成するため、第１の発明は、光ファイバが配置される本体部と、前記本体部に対して開閉可能な複数の蓋部と、を具備し、それぞれの前記蓋部の下面の少なくとも一部には、光ファイバの押さえ部が設けられ、前記本体部の光ファイバ設置面には、前記本体部の後端部側に設けられ、光ファイバの全体の位置決めを行う広幅溝部と、前記広幅溝部の前方に形成され、複数のＶ溝が併設されるＶ溝部が形成され、前記Ｖ溝部は、前記本体部の後端部側から前端部側に向かって、前記Ｖ溝のピッチが大きくなり、前記蓋部は、前記広幅溝部に配置される第１蓋部と、前記Ｖ溝部において前記本体部の前後方向に併設される複数の第２蓋部とを有することを特徴とする光ファイバ保持部材である。
【００１２】
前記Ｖ溝部は、前記本体部の後端部側において略同一ピッチで前記Ｖ溝が配置される第１のストレート部と、前記第１のストレート部の前端部側において、前記Ｖ溝のピッチが徐々に大きくなるテーパ部を有し、複数の前記第２蓋部の少なくとも１つは、前記第１のストレート部と前記テーパ部とにまたがるようにして配置されることが望ましい。
【００１３】
前記Ｖ溝は、前記テーパ部の前端部側において略同一ピッチで前記Ｖ溝が配置される第２のストレート部を更に有し、複数の前記第２蓋部の他の１つは、前記テーパ部と前記第２のストレート部とにまたがるようにして配置されることが望ましい。
【００１４】
複数の前記第２蓋部は、同一の回転軸に併設され、それぞれの前記第２蓋部の間にスペーサが配置されることが望ましい。
【００１５】
それぞれの前記蓋部は、前記本体部に配置された磁石によって、閉じた状態を維持可能であり、前記磁石は、それぞれの前記蓋部毎に別体で配置されることが望ましい。
【００１６】
前記本体部の前後方向に隣り合う前記磁石の極性が、互いに逆極性であることが望ましい。
【００１７】
第１の発明によれば、光ファイバ設置面において、後端部におけるピッチよりも、前端部におけるピッチが広くなるようにピッチの異なるＶ溝が形成される。すなわち、光ファイバ保持部材の前端部においては、光ファイバ同士を所定の間隔で保持することができる。このため、例えば、２００μｍピッチの多心光ファイバ心線を２５０μｍピッチに変換して保持することができる。
【００１８】
また、蓋部が広幅溝部における光ファイバを押さえる第１蓋部と、Ｖ溝部における光ファイバを押さえる第２蓋部とに分割されるため、まず、広幅溝部で光ファイバの全体の位置決めを行った後に、Ｖ溝部で光ファイバを所定のピッチで押さえることができる。さらに、第２蓋部が複数に分割されるため、Ｖ溝部に配置された光ファイバを、後端部側から順次押さえることができる。このため、光ファイバをＶ溝に容易に配置することができる。
【００１９】
特に、Ｖ溝部が、本体部の後端部側から前端部側に向かって、第１のストレート部とテーパ部を有し、第２蓋部の少なくとも1つが第１のストレート部とテーパ部とにまたがるようにして配置されることで、当該第２蓋部を閉じる際に、光ファイバを効率良く各Ｖ溝に誘導して押さえることができる。
【００２０】
同様に、Ｖ溝部が、テーパ部の前端部側において略同一ピッチでＶ溝が配置される第２のストレート部を更に有し、第２蓋部の他の１つが、テーパ部と第２のストレート部とにまたがるようにして配置されることで、当該第２蓋部を閉じる際に、光ファイバを効率良く各Ｖ溝に誘導して押さえることができる
【００２１】
また、複数の第２蓋部同士の間にスペーサを配置することで、第２蓋部同士が接触することを抑制することができる。このため、一方の第２蓋部を閉じる際に、誤って他方の第２蓋部も同時に閉じてしまうことを抑制することができる。
【００２２】
また、それぞれの蓋部を閉じた状態を維持するための磁石が、それぞれの蓋部ごとに別体で配置されることで、個々の磁石を小型化することができる。このため、光ファイバ保持部材から漏洩する磁界を抑制することができる。
【００２３】
例えば、光ファイバ保持部材は、融着機にセットして使用されるが、融着機によっては、風防の開閉を磁界によって検知するタイプのものがある。このため、光ファイバ保持部材から磁界の漏れが多いと、誤作動を起こす恐れがある。これに対し、磁石を個々に小さくすることで、光ファイバ保持部材からの磁界の漏れを抑制することができ、融着機に使用した際の誤作動を抑制することができる。
【００２４】
特に、本体部の前後方向に隣り合う磁石の極性を互いに逆極性とすることで、互いの磁界を打ち消しあうため、より効率良く、光ファイバ保持部材からの磁界の漏れを抑制することができる。
【００２５】
第２の発明は、第１の発明にかかる光ファイバ保持部材への光ファイバの配置方法であって、複数の光ファイバを前記広幅溝部に配置して、前記第１蓋部を閉じ、光ファイバを前記本体部の前端部側に沿わした状態で、前記第２蓋部を、前記本体部の後端部側から順に閉じ、光ファイバを前記Ｖ溝部の全長にわたって配置することを特徴とする光ファイバ保持部材への光ファイバの配置方法である。
【００２６】
第２の発明によれば、第２蓋部を、本体部の後端部側から順に閉じていくことで、光ファイバを前端部方向に向かってＶ溝に誘導しながら配置することができる。このため、確実に光ファイバをＶ溝の全長にわたって配置することができる。
【発明の効果】
【００２７】
本発明によれば、簡易な構造でピッチの変換が可能であり、確実に多心光ファイバ心線を保持することが可能な光ファイバ保持部材等を提供することができる。
【図面の簡単な説明】
【００２８】
【図１】光ファイバ保持部材１を示す斜視図。
【図２】光ファイバ保持部材１を示す平面図。
【図３】Ｖ溝１１の拡大図。
【図４】（ａ）は図３のＣ部の部分断面、（ｂ）は図３のＤ部の部分断面。
【図５】第１蓋部５ａを閉じた状態の光ファイバ保持部材１を示す斜視図。
【図６】第２蓋部５ｂを閉じた状態の光ファイバ保持部材１を示す斜視図。
【図７】第２蓋部５ｃを閉じた状態の光ファイバ保持部材１を示す斜視図。
【発明を実施するための形態】
【００２９】
以下、本発明の実施の形態にかかる光ファイバ保持部材１について説明する。図１は、光ファイバ保持部材１を示す斜視図であり、図２は、光ファイバ保持部材１を示す平面図である。光ファイバ保持部材１は、主に本体部３、蓋部５、押さえ部７等から構成される。
【００３０】
本体部３は、光ファイバが配置される部位であり、略直方体の部材である。なお、本体部３の長手方向（保持対象の多心光ファイバ心線の軸方向）であって、多心光ファイバ心線の接続等が行われる側（図中矢印Ｂ方向）を光ファイバ保持部材１（本体部３）の前端部側と称し、その逆側（図中矢印Ａ方向）を光ファイバ保持部材１（本体部３）の後端部側と称する。また、本体部３の光ファイバが配置される面内で、長手方向に垂直な方向を本体部３の幅方向とする。
【００３１】
本体部３の幅方向の一方の側方には、本体部３に対してヒンジによりそれぞれ独立して開閉可能な第１蓋部５ａ及び、第２蓋部５ｂ、５ｃが設けられる。ここで、第１蓋部５ａ、第２蓋部５ｂ、５ｃを総称して、単に蓋部５とする。すなわち、蓋部５は、少なくとも一つの第１蓋部と、本体部３の前後方向に併設される少なくとも二つの第２蓋部５ｂ、５ｃを有する。なお、蓋部５の個数はこれには限られず、例えば、第２蓋部を３つ以上としてもよいが、第２蓋部としては２つが好ましい。
【００３２】
本体部３及び蓋部５は例えば金属製である。本体部３の蓋部５との対向面には磁石９ａ、９ｂ、９ｃが配置される。第１蓋部５ａ及び、第２蓋部５ｂ、５ｃを本体部３に対して閉じると、第１蓋部５ａ及び、第２蓋部５ｂ、５ｃは、それぞれ磁石９ａ、９ｂ、９ｃによって、閉じた状態が維持される。なお、各蓋部５は、閉じた状態で蓋部５の下面と本体部３の上面とが略平行となるように調整される。
【００３３】
ここで、本体部３の第１蓋部５ａとの対向面には、磁石９ａが配置され、本体部３の第２蓋部５ｂ、５ｃとの対向面には、それぞれ磁石９ｂ、９ｃが配置される。すなわち、それぞれの蓋部５毎に磁石９ａ、９ｂ、９ｃがそれぞれ別体で配置される。
【００３４】
このように、磁石９ａ、９ｂ、９ｃをそれぞれ別体とすることで、個々の磁石を小さくすることもできる。このため、光ファイバ保持部材１からの磁界の漏れを抑制することができる。
【００３５】
また、この場合には、本体部３の前後方向に隣り合うそれぞれの磁石９ａ、９ｂ、９ｃの極性が、互いに逆極性であることが望ましい。例えば、磁石９ａ、９ｃが同一極性で、磁石９ｂのみ逆極性とする。
【００３６】
このように、隣り合う磁石９ａ、９ｂ、９ｃを互いに逆極性とすることで、磁界が打ち消しあうため、光ファイバ保持部材１からの磁界の漏れをより効率良く抑制することができる。このように、光ファイバ保持部材１からの磁界の漏れを抑制することで、前述したような、融着機における誤作動を抑制することができる。
【００３７】
蓋部５の下面（本体部３との対向面）の少なくとも一部には、光ファイバを押さえる押さえ部７が長手方向の所定の範囲にわたって形成される。押さえ部７は、蓋部５の内面から所定の量だけ突出する。押さえ部７は、本体部３上に配置される光ファイバを押圧して保持する部材である。なお、押さえ部７は、例えば樹脂製等であり、光ファイバを傷つけない部材で構成される。
【００３８】
本体部３の上面（蓋部５との対向面）には、多心光ファイバ心線を構成する各光ファイバが配置される光ファイバ設置面１３が形成される。本体部３の光ファイバ設置面１３の上面には長手方向に沿って溝が形成される。
【００３９】
図２に示すように、本体部３の光ファイバ設置面１３は、本体部３の後端部側が、多心光ファイバ心線の全体の位置決めを行う広幅溝部１７であり、広幅溝部１７の前方には、複数のＶ溝１１が併設されるＶ溝部１５が形成される。広幅溝部１７には、多心光ファイバ心線の全幅に対応した単一の溝が形成される。すなわち、広幅溝部１７は、ピッチを広げる前の多心光ファイバ心線の幅に対応した幅で形成される。
【００４０】
Ｖ溝部１５には、複数のＶ溝１１が形成される。図３は、Ｖ溝部１５におけるＶ溝１１の拡大図であり、図４（ａ）は、図３のＣ部の部分断面、図４（ｂ）は、図３のＤ部の部分断面である。Ｖ溝１１の本体部３の後端部側（図中右側）のピッチ（図４（ａ）のＥ）は、本体部３の後端部側（図中右側）のＶ溝１１のピッチ（図４（ｂ）のＦ）よりも狭い。すなわち、Ｖ溝部１５においては、本体部３の後端部側から前端部側に向かって、Ｖ溝１１のピッチが大きくなる。例えば、図４（ａ）のＥは２００μｍであり、図４（ｂ）のＦは２５０μｍである。なお、Ｖ溝１１は、必ずしも断面形状がＶ字状である物に限られず、図４（ａ）、図４（ｂ）に示したように下面に平坦面を有してもよい。
【００４１】
このように、本体部３の後端部側のＶ溝１１においては、例えば、光ファイバ１９同士が互いに接触する。すなわち、光ファイバ１９の外径が光ファイバ１９のピッチと略一致する。一方、本体部３の前端部側のＶ溝１１においては、光ファイバ１９は互いに離れて配置される。この際、光ファイバ１９は、Ｖ溝１１のピッチによって位置が設定される。
【００４２】
なお、それぞれのＶ溝１１は一直線状に形成されてもよいが、図３に示したように、Ｖ溝部１５は、本体部３の後端部側において略同一ピッチでＶ溝１１が配置される第１のストレート部１１ａと、第１のストレート部１１ａの前方において、Ｖ溝１１のピッチが徐々に大きくなるテーパ部１１ｂと、テーパ部１１ｂの前方において、略同一ピッチでＶ溝１１が配置される第２のストレート部１１ｃとを有してもよい。すなわち、第１のストレート部１１ａ、テーパ部１１ｂ、第２のストレート部１１ｃの境界において、Ｖ溝１１が滑らかに屈曲してもよい。
【００４３】
ここで、第１蓋部５ａは、広幅溝部１７に配置される。一方、複数の第２蓋部５ｂ、５ｃは、Ｖ溝部１５において本体部３の前後方向に併設して配置される。すなわち、第１蓋部５ａの押さえ部７によって、広幅溝部１７における光ファイバを押さえることができるため、第１蓋部５ａを閉じることで、光ファイバの全体の位置決めを行うことができる。一方、第２蓋部５ｂ、５ｃの押さえ部７は、Ｖ溝部１５における光ファイバを押さえることができるため、第２蓋部５ｂ、５ｃを閉じることで、それぞれの光ファイバを各Ｖ溝１１へ誘導して押圧することができる。
【００４４】
ここで、本体部３の後端部側の第２蓋部５ｂは、前述した第１のストレート部１１ａとテーパ部１１ｂとにまたがるようにして配置される。このようにすることで、第２蓋部５ｂを閉じた際に、効率良く各光ファイバをＶ溝１１のテーパ部１１ｂへ配置することができる。なお、同様に、本体部３の前端部側の第２蓋部５ｃは、前述したテーパ部１１ｂと第２のストレート部１１ｃとにまたがるようにして配置されることが望ましい。
【００４５】
次に、光ファイバ保持部材１への光ファイバの配置方法について説明する。まず、図５に示すように、複数の光ファイバ１９を広幅溝部１７に配置し、第１蓋部５ａを閉じる。なお、互いに隣り合う第１蓋部５ａと第２蓋部５ｂは、隙間を開けて配置される。
【００４６】
ここで、複数の光ファイバ１９が、テープ化された多心光ファイバ心線の場合には、多心光ファイバ心線の先端部の所定の長さにおいて、予め、各光ファイバ１９同士の接着部及び被覆を剥がし、光ファイバ１９を個々に分断させておく。また、第１蓋部５ａを閉じる際、各光ファイバ１９に分断させた部位（テープ化状態とばらけた状態との境界近傍）が、広幅溝部１７に位置するように配置する。このようにすることで、テープ化されている部位によって、容易に広幅溝部１７に光ファイバ１９を配置することができ、位置決めが容易である。また、広幅溝部１７の前端部側には、各光ファイバ１９が分断されているため、各Ｖ溝１１に応じて光ファイバ１９のピッチを変化させることができる。
【００４７】
次に、図６に示すように、第２蓋部５ｂを閉じる。この際、光ファイバ１９を本体部３の前端部側に沿わし、光ファイバ１９を指で押さえた状態で第２蓋部５ｂを閉じる。
【００４８】
次に、図７に示すように、光ファイバ１９を本体部３の前端部側に沿わし、光ファイバ１９を指で押さえた状態で第２蓋部５ｃを閉じる。すなわち、第２蓋部５ｂ、５ｃを、本体部３の後端部側から順に閉じていく。このようにすることで、光ファイバ１９をＶ溝部１５の全長にわたって配置することができ、各光ファイバ１９を、Ｖ溝１１に配置された状態で、第２蓋部５ｂ、５ｃの押さえ部７によって上方から押さえつけて保持することができる。また、光ファイバ１９がＶ溝１１の間や隣接する光ファイバに乗り上げることを防止し、作業性良く保持部材で保持することができる。
【００４９】
なお、第２蓋部５ｂの押さえ部７の長さは、第２蓋部５ｃの押さえ部７の長さよりも短い。第２蓋部５ｂは、各光ファイバ１９をそれぞれのＶ溝１１に誘導して押さえるものである。このため、あまり第２蓋部５ｂの押さえ部７の長さが長すぎると、押さえ部７の先後端において、テーパ部１１ｂにおけるピッチの変化量が大きくなる。このため、押さえ部７の前端部側で光ファイバ１９がＶ溝１１から乗り上げてしまう恐れがある。一方、第２蓋部５ｃを閉じる際には、すでにテーパ部１１ｂにおけるＶ溝１１の形成方向に向けて光ファイバ１９が配置されているため、押さえ部７の長さが長くても光ファイバ１９がＶ溝１１から乗り上げにくい。
【００５０】
また、第２蓋部５ｂ、５ｃは同一の回転軸に隣り合うように配置され、第２蓋部５ｂ、５ｃの間には、スペーサ６が配置される。スペーサ６は、例えばワッシャなどの部材であり、第２蓋部５ｂと第２蓋部５ｃとが接触しないようにするための部材である。
【００５１】
前述したように、Ｖ溝部１５において光ファイバ１９を各Ｖ溝１１へ確実に誘導するため、第２蓋部５ｂ、５ｃは、本体部３の後端部側から順に閉じていく必要がある。このため、第２蓋部５ｂを閉じる際に、誤って第２蓋部５ｃを同時に閉じてしまうと、Ｖ溝部１５の前端部近傍において、光ファイバ１９がＶ溝１１から乗り上げた状態で第２蓋部５ｃによって押さえられる恐れがある。
【００５２】
これに対し、第２蓋部５ｂと第２蓋部５ｃとをスペーサ６によって離すことで、第２蓋部５ｂと第２蓋部５ｃとが接触し、第２蓋部５ｂとともに第２蓋部５ｃが閉じてしまうことを抑制することができる。なお、第２蓋部５ｂの長さ（本体部３の幅方向に対応）を第２蓋部５ｃよりも長くすることで、第２蓋部５ｂを閉じる際に、第２蓋部５ｃに指が触れにくくなるようにしてもよい。
【００５３】
このようにして多心光ファイバ心線が保持された光ファイバ保持部材１を用いれば、容易に、ピッチの異なる多心光ファイバ心線同士を接続することができる。例えば、２００μｍピッチの多心光ファイバ心線を、光ファイバ保持部材１の前端において２５０μｍピッチで配置する。また、別の従来の光ファイバ保持部材には、２５０μｍピッチの多心光ファイバ心線を保持する。これらを融着機にセットして融着を行うことで、異なるピッチの多心光ファイバ心線同士を一括して融着することができる。この際、光ファイバ保持部材１は、従来の光ファイバ保持部材と同一のサイズで形成可能であるため、従来と同様にして融着機に設置することができる。
【００５４】
以上、本実施の形態によれば、本体部３に複数のＶ溝１１が形成されるため、多心光ファイバ心線の各光ファイバ１９をＶ溝１１に配置することができる。このため、各光ファイバ１９をＶ溝１１のピッチで整列させることができる。すなわち、Ｖ溝１１によって、光ファイバ１９の径よりも大きなピッチで整列させることができる。したがって、Ｖ溝１１のピッチを前端部側に行くにつれて広くすることで、光ファイバ１９のピッチを広げて保持することができる。このため、ピッチの異なる多心光ファイバ心線同士を接続することが可能となる。
【００５５】
また、Ｖ溝部１５において光ファイバ１９を押さえる第２蓋部５ｂ、５ｃを複数に分割し、本体部３の後端部側から順に閉じるようにすることで、光ファイバ１９を効率良くぞれぞれのＶ溝１１に誘導して押圧することができる。
【００５６】
特に、本体部３の後端部側の第２蓋部５ｂは、広幅溝部１７に近い位置で各光ファイバ１９を押さえることができる。このため、第２蓋部５ｂによって、多心光ファイバ心線のピッチとほぼ同一のピッチの第１のストレート部１１ａからテーパ部１１ｂにまたがるように押さえることで、各光ファイバ１９を効率良くテーパ部１１ｂの各Ｖ溝１１へ誘導することができる。
【００５７】
この際、第２蓋部５ｂの押さえ部７の長さを、第２蓋部５ｃの押さえ部７の長さよりも短くしておくことで、各光ファイバ１９をＶ溝部１５のテーパ部１１ｂへ最初に配置する際の乗り上げを抑制することができる。
【００５８】
また、第２蓋部５ｂと第２蓋部５ｃとの間にスペーサ６を配置することで、第２蓋部５ｂと第２蓋部５ｃとが接触することを抑制することができる。このため、第２蓋部５ｂのみを閉じようとした際に、誤って第２蓋部５ｃも同時に閉じてしまうことを抑制することができる。
【００５９】
また、第１蓋部５ａ及び第２蓋部５ｂ、５ｃを閉じた状態で保持するための磁石９ａ、９ｂ、９ｃをそれぞれ別体とすることで、全ての蓋部５にまたがるように一体で磁石を形成する場合と比較して、個々の磁石を小さくすることもできる。このようにすれば、光ファイバ保持部材１から漏洩する磁界を抑制し、融着機の誤作動を抑制することができる。
【００６０】
さらに、磁石を別体とすることで、隣り合う磁石９ａ、９ｂ、９ｃの極性を互いに逆極性とすることができる。このようにすることで、磁界を互いに打ち消すことができるため、光ファイバ保持部材１から漏洩する磁界をさらに抑制することができる。
【００６１】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【００６２】
例えば、多心光ファイバ心線は、２００μｍピッチである場合に限られず、狭いピッチの多心光ファイバ心線を広いピッチに変換する場合には、それに応じたＶ溝１１を形成すれば、いずれのピッチの多心光ファイバ心線にも適用可能である。
【００６３】
また、Ｖ溝１１の本数は特に限定されず、２本以上の光ファイバからなる多心光ファイバ心線に適用可能である。
【符号の説明】
【００６４】
１………光ファイバ保持部材
３………本体部
５………蓋部
５ａ………第１蓋部
５ｂ、５ｃ………第２蓋部
６………スペーサ
７………押さえ部材
９ａ、９ｂ、９ｃ………磁石
１１………Ｖ溝
１１ａ………第１のストレート部
１１ｂ………テーパ部
１１ｃ………第２のストレート部
１３………光ファイバ設置面
１５………Ｖ溝部
１７………広幅溝部
１９………光ファイバ
【図１】
2020144327.tif 000003
【図２】
2020144327.tif 000004
【図３】
2020144327.tif 000005
【図４】
2020144327.tif 000006
【図５】
2020144327.tif 000007
【図６】
2020144327.tif 000008
【図７】
2020144327.tif 000009